(57)【要約】      （修正有）【課題】自動的に水を植物に供給でき、水やりのための別途外部配管を必要としない植物栽培構造を提供する。【解決手段】第一側板１と、第二側板２と、濾過板５と、第三側板３と、ガイド槽６とを含む植物栽培構造であって、第二側板は、第一側板に平行して対向し、濾過板は、垂直に第一側板と第二側板の間に設置される。第三側板は、第一側板と第二側板の間に設置される。ガイド槽は、第三側板に接続され、垂直に第三側板から突出するガイド底板６１と、ガイド底板に接続され、第三側板に対向するガイド側板６２と、を有する。ガイド底板は、第一側板から下方へ向かうに従って第二側板まで傾斜して延伸し、第一の傾きを有する。【選択図】図１
0003231426.tif 000002
【実用新案登録請求の範囲】
【請求項１】
植物栽培構造であって、
第一側板と、
前記第一側板に平行して対向する第二側板と、
垂直に前記第一側板と前記第二側板の間に設置される濾過板と、
前記第一側板と前記第二側板の間に設置される第三側板と、
前記第三側板に接続され、垂直に前記第三側板から突出するガイド底板と、前記ガイド底板に接続され、前記第三側板に平行して対向するガイド側板と、を有するガイド槽と、
を含み、
前記ガイド底板は、前記第一側板から下方へ向かうに従って前記第二側板まで傾斜して延伸し、第一の傾きを有する、植物栽培構造。
【請求項２】
さらに、前記第一側板と前記第二側板の間に設置され、前記第三側板に対向する第四側板を含み、前記第一側板、前記第二側板、前記ガイド側板、前記第四側板、及び前記濾過板によって、植物収容空間が形成されることを特徴とする請求項１に記載の植物栽培構造。
【請求項３】
さらに、前記濾過板の下方に設置され、前記濾過板に平行して対向する底板を含み、前記底板の上面は第二の傾きを有し、前記底板の上面は、前記第二側板から下方へ向かうに従って前記第一側板まで傾斜して延伸することを特徴とする請求項２に記載の植物栽培構造。
【請求項４】
前記ガイド側板は、複数の第一排水口を有し、前記第一排水口のそれぞれから前記ガイド底板までの距離が異なり、前記第一排水口から前記ガイド底板までの距離は、前記第一排水口から前記第一側板までの距離が増加するに伴って減少することを特徴とする請求項３に記載の植物栽培構造。
【請求項５】
前記ガイド底板は、前記第二側板の一端に隣接して設置される第二排水口を有することを特徴とする請求項４に記載の植物栽培構造。
【請求項６】
前記ガイド底板は、第一部分と第二部分を有し、前記ガイド底板の第一部分の第一方向における幅は、前記ガイド底板の第二部分の第一方向における幅より広く、前記第一方向は、前記第三側板から前記第四側板に向かう方向であることを特徴とする請求項５に記載の植物栽培構造。
【請求項７】
前記底板は、垂直の投影方向において、前記ガイド底板の第一部分と重複する第三排水口を有することを特徴とする請求項６に記載の植物栽培構造。
【請求項８】
前記ガイド槽内の水は、前記第一排水口を経由し、前記植物収容空間に流入し、続いて、残りの水は、前記第二排水口を経由し、第一水流収容空間に流入し、前記第三排水口から排出され、前記第一水流収容空間は、前記第一側板、前記第二側板、前記第三側板、前記ガイド側板、前記ガイド底板、及び前記底板によって形成されることを特徴とする請求項７に記載の植物栽培構造。
【請求項９】
前記ガイド側板の底部は、前記第一側板に隣接して設置される第四排水口を有することを特徴とする請求項８に記載の植物栽培構造。
【請求項１０】
前記ガイド槽内の水は、前記第一排水口を経由し、前記植物収容空間に流入し、続いて、残りの水は、前記濾過板を介して第二水流収容空間に流入し、前記第四排水口を経由して前記第一水流収容空間に流入し、前記第三排水口から排出され、前記第二水流収容空間は、前記第一側板、前記第二側板、前記第四側板、前記ガイド側板、前記濾過板、及び前記底板によって形成されることを特徴とする請求項９に記載の植物栽培構造。
【請求項１１】
モジュール化植生システムであって、
固定棚と、
それぞれ前記固定棚に設置され、複数の水管によって接続される複数の請求項１に記載の植物栽培構造と、
前記水管の一つと給水管に接続され、前記水管の一つによって水を回収し、前記給水管を介して水を前記植物栽培構造の一つに供給する回収装置と、含むモジュール化植生システム。
【考案の詳細な説明】
【技術分野】
【０００１】
本考案は、植物栽培構造及び植生システムに関し、特に、建物の外壁を緑化するためのモジュール化の植物栽培構造及びそれを利用した植生システムに関する。
【背景技術】
【０００２】
現代の都市では、多数の高層ビルや道路など蓄熱しやすいもの、及びセントラル空調や交通手段から排出される人工廃熱により、都市における高温化はますます深刻になっています。そのため、建物の外壁や屋上を利用して植物を栽培し、壁面緑化を設置し、建物を植物で覆われることで、防音、断熱、及びほこりの防止等という効果が得られる。しかし、既知の壁面緑化は植物の盆栽をラックに固定する場合が多いので、水やりがしづらくなり、盆栽が落下するおそれがある。
【考案の概要】
【０００３】
本考案は、第一側板と、第二側板と、濾過板と、第三側板と、ガイド槽とを含む植物栽培構造を提供することを目的とする。前記第二側板は、前記第一側板に平行して対向する。前記濾過板は、垂直に前記第一側板と前記第二側板の間に設置される。前記第三側板は、前記第一側板と前記第二側板の間に設置される。前記ガイド槽は、前記第三側板に接続される。前記ガイド槽は、垂直に前記第三側板から突出するガイド底板と、前記ガイド底板に接続され、前記第三側板に対向するガイド側板と、を有する。前記ガイド底板は、前記第一側板から下方へ向かうに従って前記第二側板まで向けて傾斜して延伸し、第一の傾きを有する。
【０００４】
本考案の実施例において、前記植物栽培構造は、さらに、前記第一側板と前記第二側板の間に設置され、前記第三側板に対向する第四側板を含む。前記第一側板、前記第二側板、前記ガイド側板、前記第四側板、及び前記濾過板によって、植物収容空間が形成される。
【０００５】
本考案の実施例において、前記植物栽培構造は、さらに、前記濾過板の下方に設置され、前記濾過板に平行して対向する底板を含む。前記底板の上面は第二の傾きを有し、前記底板の上面は、前記第二側板から下方へ向かうに従って前記第一側板まで向けて傾斜して延伸する。
【０００６】
本考案の実施例において、前記ガイド側板は、複数の第一排水口を有する。前記第一排水口のそれぞれから前記ガイド底板までの距離は異なる。前記第一排水口から前記ガイド底板までの距離は、前記第一排水口から前記第一側板までの距離が増加するに伴って減少する。
【０００７】
本考案の実施例において、前記ガイド底板は、前記第二側板の一端に隣接して設置される第二排水口を有する。
【０００８】
本考案の実施例において、前記ガイド底板は、第一部分と第二部分を有する。前記ガイド底板の第一部分の第一方向における幅は、前記ガイド底板の第二部分の第一方向における幅より広い。前記第一方向は、前記第三側板から前記第四側板に向かう方向である。
【０００９】
本考案の実施例において、前記底板は、垂直の投影方向において、前記ガイド底板の第一部分と重複する第三排水口を有する。
【００１０】
本考案の実施例において、前記ガイド槽内の水は、前記第一排水口を経由し、前記植物収容空間に流入し、続いて、残りの水は、前記第二排水口を経由し、第一水流収容空間に流入し、前記第三排水口から排出される。前記第一水流収容空間は、前記第一側板、前記第二側板、前記第三側板、前記ガイド側板、前記ガイド底板、及び前記底板によって形成される。
【００１１】
本考案の実施例において、前記ガイド側板の底部は、前記第一側板に隣接して設置される第四排水口を有する。
【００１２】
本考案の実施例において、前記ガイド槽内の水は、前記第一排水口を経由し、前記植物収容空間に流入し、続いて、残りの水は、前記濾過板を介して第二水流収容空間に流入し、前記第四排水口を経由して前記第一水流収容空間に流入し、前記第三排水口から排出される。前記第二水流収容空間は、前記第一側板、前記第二側板、前記第四側板、前記ガイド側板、前記濾過板、及び前記底板によって形成される。
【００１３】
本考案は、固定棚、複数の植物栽培構造、及び回収装置を含むモジュール化植生システムを提供することをもう一つの目的とする。複数の前記植物栽培構造は、それぞれ前記固定棚に設置され、複数の水管によって接続される。前記回収装置は、前記水管の一つと給水管に接続され、前記水管の一つによって水を回収し、前記給水管を介して水を前記植物栽培構造の一つに供給する。
【考案の効果】
【００１４】
本考案に係る植物栽培構造及びモジュール化植生システムは、主に植物栽培構造の設計によって、自動的に水を植物に供給することができ、水やりのために別途外部配管を設置する必要がない。なお、複数の植物栽培構造を連結することで、モジュール化植生システムを形成することができる。そのため、植物栽培構造及びモジュール化植生システムは、自動の水やり及び外部配管の減少という効果が得られる。
【図面の簡単な説明】
【００１５】
【図１】本考案に係る植物栽培構造を示す斜視図である。
【図２】本考案に係る植物栽培構造を示す断面図である。
【図３】本考案に係る植物栽培構造を示す断面図である。
【図４】本考案に係る植物栽培構造を示す斜視断面図である。
【図５】本考案に係る植物栽培構造を示す斜視断面図である。
【図６】本考案に係るモジュール化植生システムを示す模式図である。
【考案を実施するための形態】
【００１６】
図１を参照して説明する。図１は、本考案に係る植物栽培構造１００を示す斜視図である。図１に示すように、植物栽培構造１００は、第一側板１、第二側板２、第三側板３、第四側板４、濾過板５、ガイド槽６、及び底板７を含む。第二側板２は、第一側板１に平行して対向する。第三側板３は、第一側板１と第二側板２の間に設置され、第四側板４に対向する。それと同様に、第四側板４は、第一側板１と第二側板２の間に設置され、第３側板３に対向する。
【００１７】
なお、ガイド槽６は、第三側板３に接続される。ガイド槽６は、ガイド底板６１とガイド側板６２を有する。ガイド底板６１は、垂直に第三側板３から突出している。ガイド底板６１は、ガイド側板６２に接続される。ガイド側板６２は、第三側板３に平行して対向する。濾過板５は、垂直に第一側板１と第二側板２の間に設置される。第一側板１、第二側板２、ガイド側板６２、第四側板４、及び濾過板５によって、植物収容空間Ｃ１が形成される。底板７は、濾過板５の下方に設置され、かつ濾過板５に平行して対向する。底板７の上面は傾きを有し、前記上面は、第二側板２から下方へ向かうに従って第一側板１まで向けて傾斜して延伸する。
【００１８】
図２を参照して説明する。図２は、本考案に係る植物栽培構造１００を示す断面図である。図２に示すように、ガイド底板６１は、第一側板１から下方へ向かうに従って第二側板２まで傾斜して延伸し、傾きを有する。ガイド側板６２は、複数の排水口６２１、６２２、６２３を有する。排水口６２１からガイド底板６１までの距離は距離Ｄ１であり、排水口６２２からガイド底板６１までの距離は距離Ｄ２であり、排水口６２３からガイド底板６１までの距離は距離Ｄ３である。距離Ｄ１、距離Ｄ２、及び距離Ｄ３はそれぞれ異なる。排水口６２１、６２２、６２３からガイド底板６１までの距離Ｄ１、Ｄ２、Ｄ３は、排水口６２１、６２２、６２３から第一側板１までの距離が増加するに伴って減少する。
【００１９】
なお、第一側板１、第二側板２、第三側板３、ガイド側板６２、ガイド底板６１、及び底板７によって、水流収容空間Ｃ２が形成される。ガイド底板６１は、排水口６１１を有する。排水口６１１は、第二側板２の一端に隣接して設置される。このように、ガイド槽６内の水は、排水口６２１、６２２、６２３を経由して植物収容空間Ｃ１に流入し、続いて、残りの水は、排水口６１１を経由して水流収容空間Ｃ２に流入する。
【００２０】
図３を参照して説明する。図３は、本考案に係る植物栽培構造１００を示す断面図である。図３に示すように、濾過板５は、複数の穴を有し、水が下部空間に流れるように植物を支持する。第一側板１、第二側板２、第四側板４、ガイド側板６２、濾過板５、及び底板７によって、水流収容空間Ｃ３が形成される。このように、植物収容空間Ｃ１にあった水は濾過板５を介して水流収容空間Ｃ３に流入する。
【００２１】
図４を参照して説明する。図４は、本考案に係る植物栽培構造１００を示す斜視断面図である。図４に示すように、ガイド底板６１は、第一部分Ｐ１と第二部分Ｐ２を有する。ガイド底板６１の第一部分Ｐ１の方向ＤＩにおける幅は、ガイド底板６１の第二部分Ｐ２の方向ＤＩにおける幅より広い。方向ＤＩは、第三側板３から第四側板４に向かう方向である。特に、方向ＤＩはガイド槽６の設置方向と垂直する方向である。水流の入り口として、ガイド底板６１の第一部分Ｐ１の幅は、ガイド底板６１の第二部分Ｐ２の幅より広くなるように設計される。水流は、水管を介してガイド底板６１の第一部分Ｐ１に流入し、ガイド底板６１の第二部分Ｐ２と排水口６２１、６２２、６２３を経由して、植物収容空間Ｃ１に供給される。
【００２２】
なお、ガイド側板６２の底部は、第一側板１に隣接して設置される排水口６２４を有する。特に、ガイド底板６１の第一部分Ｐ１は、ガイド底板６１の第二部分Ｐ２より突出している。そのため、ガイド側板６２は、３つの部分、すなわち、ガイドサブ側板６２Ａ、ガイドサブ側板６２Ｂ、及びガイドサブ側板６２Ｃに区分けされている。排水口６２１、６２２、６２３は、ガイドサブ側板６２Ｃに設置される。排水口６２４は、ガイドサブ側板６２Ａの底部に設置される。このように、水流は、濾過板５を介して水流収容空間Ｃ３に流入した場合に、底板７の上面の傾きによって集まって第一側板１に向けて流れる。それによって、水流は、排水口６２４を経由して水流収容空間Ｃ２に流入する。
【００２３】
なお、底板７は、排水口７１を有する。排水口７１は、垂直の投影方向において、ガイド底板６１の第一部分Ｐ１と重複する。排水口７１が水管に接続されるので、水流は下部の植物栽培構造のガイド底板６１の第一部分Ｐ１に流れることができる。このように、排水口６２４を経由して流入した水流、及び排水口６１１を経由して水流収容空間Ｃ２に流入した水流は、排水口７１に合流し、排水口７１及び水管を経由して下部の植物栽培構造に流れる。
【００２４】
図５を参照して説明する。図５は、本考案に係る他の実施例における植物栽培構造５００を示す斜視断面図である。図５に示すように、植物栽培構造５００は、前記実施例における植物栽培構造１００に比べて、さらに複数の仕切り板８Ａ、８Ｂを有する。仕切り板８Ａ、８Ｂは、第一側板１と第二側板２の間に設置され、かつ第一側板１と第二側板２に平行して対向する。仕切り板８Ａ、８Ｂは、ガイド側板６２及び第四側板４に接続される。仕切り板８Ａは、排水口６２１及び排水口６２２の間に設置される。仕切り板８Ｂは、排水口６２２及び排水口６２３の間に設置される。排水口６２１及び排水口６２２は、距離をおいて設置される。排水口６２２及び排水口６２３は、距離をおいて設置される。特に、排水口の間の距離は、仕切り板の間の距離と略同じである。
【００２５】
なお、仕切り板８Ａ、８Ｂは、植物収容空間Ｃ１を植物を栽培する複数のサブ空間Ｃ１１、Ｃ１２、Ｃ１３に区分けする。しかし、前記実施例（例えば、図４に示す実施例）のように、仕切り板を設置することなく、植物を直接に植物収容空間に栽培してもよい。従って、仕切り板の数は、ユーザーのニーズによって変更可能である。本考案はこれに限ったものではない。特に、排水口６２１、６２２、６２３の数は、サブ空間Ｃ１１、Ｃ１２、Ｃ１３の数によって変更可能である。一つのサブ空間は、サブ空間内の植物に水を供給できるように、少なくとも１つの排水口に対応する。また、排水口６２１、６２２、６２３の数は、本開示に限ったものではない。
【００２６】
図６を参照して説明する。図６は、本考案に係るモジュール化植生システム６００を示す模式図である。図６に示すように、モジュール化植生システム６００は、固定棚６１０、複数の植物栽培構造１００、及び回収装置６２０を含む。複数の植物栽培構造１００は、それぞれ固定棚６１０に設置され、かつ複数の水管６３０によって接続される。回収装置６２０は、前記水管６３０の一つと給水管６４０に接続され、前記水管６３０の一つによって水を回収し、給水管６４０を介して水を植物栽培構造１００の一つに供給する。特に、回収装置６２０は、タンクとモータとを備えることで、回収した水を再び植物栽培構造１００のガイド底板６１の第一部分Ｐ１に供給することができる。
【００２７】
なお、回収装置６２０のモータには、電力を供給する必要がある。電力は、バッテリーやソーラーパネルから供給してもよい。本考案はこれに限ったものではない。なお、図６に示す植物栽培構造１００の数は、モジュール化植生システムの構成を説明するための例であり、植物栽培構造１００の数はこれに限ったものではない。モジュール化植生システム６００を設置する場所によって、植物栽培構造１００の数を決定してもよい。
【００２８】
上述のように、本考案に係る植物栽培構造及びモジュール化植生システムは、主に植物栽培構造の設計によって、自動的に水を植物に供給することができ、水やりのために別途外部配管を設置する必要がない。なお、複数の植物栽培構造を連結することで、モジュール化植生システムを形成することができる。そのため、植物栽培構造及びモジュール化植生システムは、自動の水やり及び外部配管の減少という効果が得られる。
【符号の説明】
【００２９】
１００、５００  植物栽培構造
１  第一側板
２  第二側板
３  第三側板
４  第四側板
５  濾過板
６  ガイド槽
６１  ガイド底板
６１１  排水口
６２  ガイド側板
６２Ａ、６２Ｂ、６２Ｃ  ガイドサブ側板
６２１、６２２、６２３、６２４  排水口
７  底板
７１  排水口
８Ａ、８Ｂ  仕切り板
Ｃ１、Ｃ２、Ｃ３  収容空間
Ｃ１１、Ｃ１２、Ｃ１３  サブ空間
Ｄ１、Ｄ２、Ｄ３  距離
Ｐ１、Ｐ２  部分
ＤＩ  方向
６００  モジュール化植生システム  
６１０  固定棚
６２０  回収装置
６３０  水管
６４０  給水管
【図１】
0003231426.tif 000003
【図２】
0003231426.tif 000004
【図３】
0003231426.tif 000005
【図４】
0003231426.tif 000006
【図５】
0003231426.tif 000007
【図６】
0003231426.tif 000008